(57)【要約】【課題】省スペース化に役立つクリップを提供する。【解決手段】頭部およびこの頭部の略中央から突出した軸部から構成したピン２０と、このピン２０を挿入するスペーサ４０と、からクリップ１０を構成する。スペーサ４０に、スペーサ４０と連なる基部と、この基部からスペーサ４０の周方向に連なる自由端部と、から係止爪部５０を形成する。スペーサ４０に挿入したピン２０の軸部によって、係止爪部５０は自由端部が基部を基点に撓ってピン２０の挿入方向と直交する方向に拡がる。【選択図】図１
2013228006.tif 000002
【特許請求の範囲】
【請求項１】
頭部およびこの頭部の略中央から突出した軸部から構成されたピンと、このピンが挿入されるスペーサと、から構成されたクリップにおいて、
前記スペーサに連なる基部と、この基部から前記スペーサの周方向に連なる自由端部と、から係止爪部が前記スペーサに形成され、
前記スペーサに挿入された前記ピンの軸部によって、前記自由端部が前記基部を基点に撓って前記係止爪部が前記ピンの挿入方向と直交する方向に拡げられる、
ことを特徴とするクリップ。
【請求項２】
前記基部が、対面して前記スペーサを構成するそれぞれの側壁に形成され、前記自由端部が、前記側壁から周方向に沿って連なる他の側壁に形成された、
ことを特徴とする請求項１に記載のクリップ。
【請求項３】
前記基部と前記自由端部とが、鈍角に連ねられた、
ことを特徴とする請求項１または請求項２に記載のクリップ。
【請求項４】
前記自由端部の先端が前記スペーサの内側の空間に屈折して突部が形成され、
この突部によって、前記空間に挿入された前記ピンの軸部が支持され、
前記突部に支持された前記軸部によって、前記自由端部が撓って前記係止爪部が拡げられる、
ことを特徴とする請求項１から請求項３のいずれか１項に記載のクリップ。
【請求項５】
前記突部から前記ピンの挿入方向に係止部が突出した、
ことを特徴とする請求項４に記載のクリップ。
【請求項６】
前記スペーサの内側に、前記ピンを保持する保持爪部が形成された、
ことを特徴とする請求項１から請求項５のいずれか１項に記載のクリップ。
【請求項７】
前記スペーサが、間隔を開けて対面する第一板状部材と第二板状部材との間に配置され、このスペーサおよびこのスペーサに挿入された前記ピンの、前記係止爪部と前記頭部とが前記第一板状部材に係止されると共に、前記ピンの先端に形成された先端係止部が前記スペーサの底面部から突出して前記第二板状部材に係止される、
ことを特徴とする請求項１から請求項６のいずれか１項に記載のクリップ。
【発明の詳細な説明】
【技術分野】
【０００１】
本発明は、部材同士を拘束するためのクリップに関するものである。
【背景技術】
【０００２】
従来、パネルなどの部材同士を重ねて拘束するに際し、例えば、下記特許文献１に記載の止め具が用いられている。この止め具は、棒状のピンと、ピンが挿入される中空状の胴部に円盤状のフランジが形成されたグロメットとから構成されている。ピンは、外周面にピンの軸方向と直交する拡開溝が形成され、一方、グロメットは、胴部が四枚の分割脚片に分割され、各分割脚片の下端側内側に拡開溝と係合する内向突起が形成されている。
【０００３】
ピンの先端が挿入されたグロメットが、重ねられた二枚のパネルの各取付孔に差し込まれ、さらにピンがグロメットの内部に押し込まれると、止め具は、ピンの拡開溝にグロメットの各分割脚片の内向突起が係合する共に、各分割脚片が外側に拡開する。このようにして、止め具はグロメットのフランジ部と各分割脚片とで二枚のパネル挟んで拘束する。
【先行技術文献】
【特許文献】
【０００４】
【特許文献１】特許第４２８３７２２号公報
【発明の概要】
【発明が解決しようとする課題】
【０００５】
しかし、上記した止め具は、グロメットの胴部が軸方向に四分割されて分割脚片が形成されていることから、軸方向に長手となり、パネルの内側に分割脚片が拡開できる程度のスペースが必要となる。
【０００６】
本発明は、上記の実情に鑑みて提案されたものである。すなわち、省スペース化に役立つクリップの提供を目的とする。
【課題を解決するための手段】
【０００７】
上記目的を達成するために、本発明に係るクリップは、頭部およびこの頭部の略中央から突出した軸部から構成されたピンと、このピンが挿入されるスペーサと、から構成されたクリップにおいて、前記スペーサに連なる基部と、この基部から前記スペーサの周方向に連なる自由端部と、から係止爪部が前記スペーサに形成され、前記スペーサに挿入された前記ピンの軸部によって、前記自由端部が前記基部を基点に撓って前記係止爪部が前記ピンの挿入方向と直交する方向に拡げられる、ことを特徴としている。
【０００８】
また、クリップは、前記基部が、対面して前記スペーサを構成するそれぞれの側壁に形成され、前記自由端部が、前記側壁から周方向に沿って連なる他の側壁に形成された、ことを特徴としている。
【０００９】
また、クリップは、前記基部と前記自由端部とが、鈍角に連ねられた、ことを特徴としている。
【００１０】
また、クリップは、前記自由端部の先端が前記スペーサの内側の空間に屈折して突部が形成され、この突部によって、前記空間に挿入された前記ピンの軸部が支持され、前記突部に支持された前記軸部によって、前記自由端部が撓って前記係止爪部が拡げられる、ことを特徴としている。
【００１１】
また、クリップは、前記突部から前記ピンの挿入方向に係止部が突出した、ことを特徴としている。
【００１２】
また、クリップは、前記スペーサの内側に、前記ピンを保持する保持爪部が形成された、ことを特徴としている。
【００１３】
また、クリップは、前記スペーサが、間隔を開けて対面する第一板状部材と第二板状部材との間に配置され、このスペーサおよびこのスペーサに挿入された前記ピンの、前記係止爪部と前記頭部とが前記第一板状部材に係止されると共に、前記ピンの先端に形成された先端係止部が前記スペーサの底面部から突出して前記第二板状部材に係止される、ことを特徴としている。
【発明の効果】
【００１４】
本発明に係るクリップは、上記した構成である。すなわち、この構成によれば、ピンの挿入方向におけるスペーサの長さに影響されずに係止爪部が形成される。したがって、クリップは省スペース化に役立つ。
【００１５】
特に、クリップは、基部が、対面してスペーサを構成するそれぞれの側壁に形成され、自由端部が、側壁から周方向に沿って連なる他の側壁に形成されている。この構成により、クリップは、基部を基点に自由端部が撓って係止爪部が拡がる際に生じる応力の集中が緩和される。したがって、クリップは係止爪部が撓りやすい。
【００１６】
特に、クリップは、基部と自由端部とが、鈍角に連ねられている。この構成により、クリップは、係止爪部が撓る際に生じる応力の集中がさらに緩和される。したがって、クリップは係止爪部がさらに撓りやすい。
【００１７】
特に、クリップは、自由端部の先端がスペーサの内側の空間に屈折して突部が形成され、この突部によって、空間に挿入されたピンの軸部が支持され、突部に支持された軸部によって、自由端部が撓って係止爪部が拡げられる。この構成により、クリップは、ピンが係止爪部に支持された状態でスペーサの内側の空間を移動することができる構成となる。したがって、クリップは、ピンとスペーサとがずれた場合であっても係止爪部が拡がった状態を維持することができる。
【００１８】
特に、クリップは、突部からピンの挿入方向に係止部が突出している。この構成により、ピンにより拡げられた係止爪部は、係止部がスペーサに係止され、ピンの挿入方向に生じる荷重が突部を介してスペーサに分散される。したがって、係止爪部が強固となる。
【００１９】
特に、クリップは、スペーサの内側に、ピンを保持する保持爪部が形成されている。この構成により、クリップは、ピンがスペーサに保持されて二部材が一体的になる。したがって、クリップは作業性が向上する。
【００２０】
特に、クリップは、スペーサが、間隔を開けて対面する第一板状部材と第二板状部材との間に配置され、このスペーサおよびこのスペーサに挿入されたピンの、係止爪部と頭部とが第一板状部材に係止されると共に、ピンの先端に形成された先端係止部がスペーサの底面部から突出して第二板状部材に係止される。したがって、クリップは、間隔を開けて対面する第一板状部材と第二板状部材とを拘束することができる。
【図面の簡単な説明】
【００２１】
【図１】本発明の実施形態に係るクリップを示し、（ａ）が分解斜視図、（ｂ）が合体斜視図である。
【図２】本発明の実施形態に係るクリップのピンを示し、（ａ）が平面側から視した斜視図、（ｂ）が底面側から視した斜視図である。
【図３】本発明の実施形態に係るクリップのピンを示し、（ａ）が平面図、（ｂ）が前面図、（ｃ）が底面図、（ｄ）が側面図、および（ｅ）が（ｂ）のＡ−Ａ断面図である。
【図４】本発明の実施形態に係るクリップのスペーサを示し、（ａ）が平面側から視した斜視図、（ｂ）が底面側から視した斜視図である。
【図５】本発明の実施形態に係るクリップのスペーサを示し、（ａ）が平面断面図（（ｂ）のＢ−Ｂ断面図）、（ｂ）が前面図、（ｃ）が底面図、（ｄ）が側面断面図（（ｅ）の部分Ｄ−Ｄ断面図）、（ｅ）が側面図、および（ｆ）が（ｂ）の部分Ｃ−Ｃ断面図である。
【図６】本発明の実施形態に係るクリップの保持状態および使用状態を示し、（ａ）が部分断面前面図、（ｂ）が（ａ）のＤ−Ｄ断面側面図である。
【図７】本発明の実施形態に係るクリップの使用状態を示し、（ａ）が部分断面前面図、（ｂ）が（ａ）のＥ−Ｅ断面側面図、および（ｃ）が（ａ）のＦ−Ｆ断面図である。
【図８】本発明の実施形態に係るクリップの他の使用状態を示し、（ａ）が断面側面図、（ｂ）が（ａ）のＨ−Ｈ断面図である。
【発明を実施するための形態】
【００２２】
以下に、本発明の実施形態を図面に基づいて説明する。
【００２３】
図１において、本実施形態に係るクリップ１０は、ピン２０と、スペーサ４０とから構成されている。ピン２０と、スペーサ４０とは着脱が可能である。
【００２４】
図２、図３において、ピン２０は、頭部２１と、この頭部２１の略中央に備えられた軸部３０とから構成されている。詳説すれば、頭部２１は、略円盤状に形成され、表裏に湾曲面２２と平坦面２３とを有している。頭部２１は、湾曲面２２に一筋の溝２４が形成され、平坦面２３の略中央から軸部３０が突出している。ピン２０は、例えば、ポリアミド（ＰＡ６）などの素材により形成されている。
【００２５】
頭部２１の平坦面２３から突出した軸部３０は棒状であり、先端に向けて、大径部３１、縮小径部３２、小径部３３、拡大径部３４、中径部３５、先端係止部３６から構成されている。各部３１から３５は同軸上に連なり、大径部３１、小径部３３、および中径部３５が円柱状に形成されている。大径部３１と小径部３３とは、大径部３１から小径部３３に向けて径が緩やかに縮小した縮小径部３２によって連ねられている。小径部３３と中径部３５とは、小径部３３から中径部３５に向けて径が緩やかに拡大する拡大径部３４によって連ねられている。先端係止部３６は、断面が略十字状に形成され、軸方向と直交するリブ３７が略等間隔に形成されている（図３（ｅ）参照）。
【００２６】
軸部３０のそれぞれの径は、大径部３１、中径部３５、小径部３３の順に小さい。先端係止部３６は、小径部３３と略同径である（図３（ｂ）参照）。
【００２７】
図４、図５において、スペーサ４０は、中空の略四角柱である。すなわち、スペーサ４０は、平行に対面する前面壁４１と後面壁４３、左面壁４２と右面壁４４、から構成され、各壁４１から４４に囲まれて空間部４５が形成されている。また、スペーサ４０は、平面部４６と底面部４７とが開放されて空間部４５に連なっている。スペーサ４０は、例えば、ポリアセタール（ＰＯＭ）などの素材から形成されている。
【００２８】
隣り合う前面壁４１と右面壁４４、左面壁４２と後面壁４３のそれぞれは直交している。また、前面壁４１と左面壁４２、後面壁４３と右面壁４４のそれぞれは、それぞれの壁４１と４２との間、４３と４４との間にそれぞれ連ねられた平坦壁４８と鈍角に連ねられている。一対の平坦壁４８は平行に対面している（図５（ｃ）参照）。
【００２９】
スペーサ４０は、周方向に沿って連なる係止爪部５０が形成され、また、軸方向に沿って連なる保持爪部６０が形成されている。係止爪部５０は、スペーサ４０の平面部４６近傍に形成され、一方、保持爪部６０は、スペーサ４０の略中程に形成されている。
【００３０】
係止爪部５０は、左面壁４２、平坦壁４８および前面壁４１に渡って、また、右面壁４４、平坦壁４８および後面壁４３に渡って、それぞれ形成されている（図５（ａ）参照）。一方、保持爪部６０は、対面する左面壁４２と右面壁４４とにそれぞれ形成されている（図５（ｄ）参照）。なお、以下の説明では、一対の係止爪部５０および一対の保持爪部６０について、それぞれの対が対称であるため、対のうち一方のみを説明し、他方の説明を省略する。
【００３１】
図５（ｂ）において、係止爪部５０は、左面壁４２、平坦壁４８および前面壁４１に渡って略コ字状の開口部７０が設けられたことによって形成され、左面壁４２、平坦壁４８および前面壁４１の一部である。係止爪部５０は、開口部７０に収められ、開口部７０からスペーサ４０の外側へ撓って拡がる構成である（図１（ｂ）参照）。略コ字状に形成された開口部７０は、縁に係止縁７１が形成されている。
【００３２】
係止爪部５０は、スペーサ４０の周方向に沿って連ねられた、基部５１、自由端部５２から形成されている。自由端部５２は、先端がスペーサ４０の内側に屈曲して突出した突部５３、スペーサ４０の底面部４７に向けて突出した係止部５４が形成されている（図４（ｂ）参照）。
【００３３】
図５（ａ）において、基部５１は、左面壁４２と鈍角に連なると共に、平坦壁４８と同一平面上に形成されている。自由端部５２は、基部５１と鈍角に連なると共に、前面壁４１と同一平面上に形成されている。突部５３は、自由端部５２と鋭角に連なると共に、スペーサ４０の内側である空間部４５に向けて突出している。突部５３の先端面は平坦な斜面である。係止部５４は、自由端部５２と係止縁７１との間に収まる範囲に突出している（図５（ｄ）参照）。
【００３４】
図５（ｅ）において、保持爪部６０は、スペーサ４０の左面壁４２の一部であり、左面壁４２からスペーサ４０の底面部４７へ向けて略Ｕ字状のスリットが設けられたことによって形成されている。保持爪部６０は、左面壁４２を介して撓る構成である（図１（ｂ）参照）。
【００３５】
図５（ｄ）において、保持爪部６０は、左面壁４２に連ねられた保持基部６１、保持基部６１から連なってスペーサ４０の空間部４５に向けて傾斜した保持自由端部６２、保持自由端部６２先端がスペーサ４０の底面部４７に向けて垂下した保持先端部６３から構成されている。
【００３６】
保持基部６１は、左面壁４２と同一平面上に形成されている。保持自由端部６２は、保持基部６１と鈍角に連なっている。保持先端部６３は、保持自由端部６２と鈍角に連なっている。
【００３７】
スペーサ４０の空間部４５は、各壁４１から４４の内側にピン２０の軸部３０が接触しない程度の大きさに形成されている（図７（ｃ）参照）。対面する係止爪部５０の突部５３同士の間隔は、ピン２０の軸部３０に形成された大径部３１より狭い。また、対面する保持爪部６０の保持先端部６３同士の間隔は、軸部３０に形成された中径部３５より狭い。
【００３８】
以上のようにして、本実施形態に係るクリップ１０が形成されている。
【００３９】
次に、本実施形態に係るクリップ１０の作用を、クリップ１０の使用方法と共に図面に基づいて説明する。
【００４０】
図６において、第一板状部材としての自動車のヘッドライニング１と第二板状部材としてのボディパネル３とは、間隔を開けて対面し、それぞれライニング開口部２、パネル開口部４が形成されている。それぞれの開口部２、４は同軸であり、パネル開口部４にナット部５が形成されている。なお、ライニング開口部２よりもクリップ１０のスペーサ４０の径が僅かに小さく、パネル開口部４よりもピン２０の軸部３０の先端係止部３６が僅かに小さい。
【００４１】
ヘッドライニング１およびボディパネル３に取り付ける前に、クリップ１０を保持状態にする。保持状態は、ピン２０とスペーサ４０とが係止した状態である。
【００４２】
ピン２０を軸部３０の先端係止部３６側から、スペーサ４０の平面部４６側に挿入し、底面部４７へ向けて空間部４５を貫通する。軸部３０の中径部３５は一対の係止爪部５０の間を通過し、一対の保持爪部６０の間に入る。
【００４３】
詳説すると、ピン２０は、軸部３０の中径部３５が、保持爪部６０の保持先端部６３に接触し、保持基部６１を基点に保持自由端部６２を左面壁４２および右面壁４４の外側に撓らせて保持爪部６０を拡げながら進入する。スペーサ４０は、保持爪部６０が復元力により元の状態に戻ろうとし、保持先端部６３で中径部３５を挟持した状態となる。この様にしてクリップ１０が保持状態となる（図６参照）。
【００４４】
図６において、上記した保持状態のクリップ１０を、スペーサ４０の底面部４７側から、ライニング開口部２に挿入する。スペーサ４０は、底面部４７がボディパネル３に接触して挿入が規制されると共に、平面部４６がライニング開口部２の縁に納まる。一方、ピン２０は、先端係止部３６がパネル開口部４を通過し、リブ３７がナット部５に係止する。
【００４５】
この状態で、図７において、ピン２０の軸部３０がさらにスペーサ４０内に進入すると、縮小径部３２、大径部３１の順に軸部３０が係止爪部５０の突部５３に接触し、係止爪部５０は、自由端部５２が基部５１を基点に前面壁４１および後面壁４３の外側へ撓って、ピン２０の挿入方向と直交する方向に拡がる。自由端部５２は、ヘッドライニング１に接触すると共に、係止部５４が係止縁７１に係止する。同時に、ピン２０は、頭部２１の平坦面２３がヘッドライニング１に接触する。
【００４６】
この様にしてクリップ１０は、係止爪部５０と頭部２１とでヘッドライニング１を挟持し係止する。なお、上記した“直交”は厳密な直交に限られず、“略直交“が含まれる。
【００４７】
一方、ピン２０は、復元力により元の状態に戻ろうとする係止爪部５０の突部５３で大径部３１が挟持されて支持された状態となる（図７（ｃ）参照）。
【００４８】
ここで、図８において、仮にヘッドライニング１がボディパネル３と平行にずれ、ライニング開口部２の軸Ｙ１と、パネル開口部４の軸（ピン２０の軸）Ｙ２とがずれた場合でも、クリップ１０は、ヘッドライニング１とボディパネル３とに係止した状態を維持する。詳説すれば、スペーサ４０は、係止爪部５０の自由端部５２と頭部２１とがヘッドライニング１に係止されると共に、係止爪部５０の突部５３が軸部３０の大径部３１を挟持して支持した状態を維持しつつ、ヘッドライニング１と共にピン２０に対してずれる。
【００４９】
なお、クリップ１０を、ヘッドライニング１とボディパネル３とから取り外す場合、ピン２０の湾曲面２３に形成された溝２４に、この溝２４の形状に応じた工具やコインなどを嵌めてピン２０を回転する。クリップ１０が保持状態となり、スペーサ４０と共にピン２０を引き抜く。
【００５０】
次に、本実施形態の効果を説明する。
【００５１】
上記したように、本実施形態によれば、クリップ１０は、ピン２０が、頭部２１と、この頭部２１の略中央から突出した軸部３０とから構成され、一方、スペーサ４０は、中空の略四角柱であり、挿入されたピン２０の軸部３０によって、自由端部５２が基部５１を基点に撓って拡がる係止爪部５０がスペーサ４０の周方向に形成されている。
【００５２】
すなわち、このクリップ１０は、ピン２０の挿入方向におけるスペーサ４０の長さに影響されずに係止爪部５０が形成され、ヘッドライニング１とボディパネル３との間が狭い場合であっても係止爪部５０がピン２０の挿入方向と直交する方向に拡げられる。したがって、クリップ１０は、省スペース化に役立つ。
【００５３】
本実施形態によれば、係止爪部５０は、基部５１、自由端部５２から形成され、自由端部５２は、基部５１と鈍角に連なっている。この構成により、クリップ１０は、基部５１を基点に自由端部５２が撓って係止爪部５０が拡がる際に生じる応力の集中が緩和される。したがって、クリップ１０は係止爪部５０が撓りやすい。
【００５４】
本実施形態によれば、スペーサ４０の空間部４５は、各壁４１から４４の内側にピン２０の軸部３０が接触しない程度の大きさに形成されている。また、係止爪部５０の自由端部５２は、先端がスペーサ４０の内側の空間部４５に屈曲して突出した突部５３が形成されている。対面する突部５３同士の間隔は、ピン２０の軸部３０に形成された大径部３１より狭い。スペーサ４０に挿入されたピン２０は、軸部３０が基部５１を基点に自由端部５２を撓らせて係止爪部５０を拡げながら進入し、同時に、復元力により元の状態に戻ろうとする係止爪部５０の突部５３により大径部３１が挟持されて支持される。
【００５５】
したがって、クリップ１０は、ピン２０が係止爪部５０に支持された状態でスペーサ４０の内側の空間部４５を移動することができる構成となり、ピン２０とスペーサ４０とがずれた場合であっても係止爪部５０が拡がった状態を維持することができる。
【００５６】
本実施形態によれば、自由端部５２は、先端からスペーサ４０の底面部４７に向けて突出した係止部５４が形成されている。この構成により、拡げられた係止爪部５０は、係止部５４がスペーサ４０の係止縁７１に係止され、ピン２０の挿入方向に生じる荷重が係止部５４を介してスペーサ４０に分散される。したがって、係止爪部５０が強固となり、ヘッドライニング１に堅固に係止する。
【００５７】
本実施形態によれば、スペーサ４０は、保持爪部６０が、対面する左面壁４２と右面壁４４とのそれぞれに、軸方向に形成されている。この構成により、クリップ１０は、スペーサ４０とピン２０とが保持状態となり、二部材が一体的になる。したがって、クリップ１０は、一体的に取り扱われ、ライニング開口部２に対する挿入および抜去が容易であり、また、ピン２０をワンプッシュすることでクリップ１０をヘッドライニング１およびボディパネル３に取り付けることができ、作業性が向上する。
【００５８】
本実施形態によれば、スペーサ４０の係止爪部５０と、このスペーサ４０に挿入されたピン２０が頭部２１とでヘッドライニング１を係止すると共に、先端係止部３６がスペーサ４０の底面部４７から突出してボディパネル３に係止する。したがって、クリップ１０は、間隔を開けて対面するヘッドライニング１とボディパネル３とをそれぞれ拘束することができる。
【００５９】
特に、クリップ１０は、先端係止部３６がパネル開口部４のナット部５に係止し、一方、係止爪部５０は、基部５１を基点に自由端部５２がスペーサ４０の外側へ撓り、係止爪部５０と頭部２１とでヘッドライニング１を挟持する。したがって、カーボンなどの剛性素材であるボディパネル３では、ナット部５と先端係止部３６との摩擦力により、一方、スポンジ素材であるヘッドライニング１では、係止爪部５０と頭部２１とで挟持することにより、それぞれ異なる素材から形成された部材を拘束することができる。また、クリップ１０は、ヘッドライニング１を両面から挟持するため、ヘッドライニング１が陥没することがない。
【００６０】
次に、本実施形態の変形例を説明する。
【００６１】
上記した本実施例の変形例として、スペーサは、例えば中空の略多角柱、または略円柱であってもよい。すなわち、スペーサの形状は、内側にピンを受け入れられる空間部を有していればよい。なお、ヘッドライニングに形成されたライニング開口部の形状は、スペーサを挿入できるよう、例えば多角形状、略円形状など、スペーサの形状に対応していればよい。
【００６２】
また、係止爪部は、一つ、またはスペーサの形状に合わせて複数形成してもよい。さらに、係止爪部は、基部と自由端部とが湾曲して連なっていてもよい。すなわち、係止爪部は自由端部が撓る際に作用する応力の集中が緩和される構成であればよい。したがって、係止爪部がこのような構成であれば、係止爪部はスペーサを構成する各壁と同一平面上に形成されていなくてもよい。
【００６３】
なお、上記した実施形態のように、スペーサ４０が略四角柱であり、係止爪部５０がスペーサ４０を構成する各壁４１から４４、および４８と同一平面上に形成されていれば、成型が簡便であるため好ましい。
【００６４】
ピンを構成する軸部の先端係止部は、リブが形成されていなくてもよい。すなわち、先端係止部がボディパネルに形成されたパネル開口部よりも僅かに大きく形成され、パネル開口部に係止する構成であればよい。なお、この変形例の先端係止部に対応させ、ボディパネルは、パネル開口部にナット部が形成されていなくてもよい。
【００６５】
以上、本発明の実施形態を詳述したが、本発明は上記実施形態に限定されるものではない。そして本発明は、特許請求の範囲に記載された事項を逸脱することがなければ、種々の設計変更を行うことが可能である。例えば、住宅、内装設備などにおいて、金属板に木製板を浮かせて取り付けるなど、剛性素材の板材に対し、軟性素材の板材を浮かせて取り付けることができる。
【符号の説明】
【００６６】
１                  ヘッドライニング（第一板状部材）
２                  ライニング開口部
３                  ボディパネル（第二板状部材）
４                  パネル開口部
５                  ナット部
１０                クリップ
２０                ピン
２１                頭部
２２                湾曲面
２３                平坦面
３０                軸部
３１                大径部
３２                縮小径部
３３                小径部
３４                拡大径部
３５                中径部
３６                先端係止部
３７                リブ
４０                スペーサ
４１                前面壁
４２                右面壁
４３                後面壁
４４                左面壁
４５                空間部（空間）
４６                平面部
４７                底面部
４８                平坦壁
５０                係止爪部
５１                基部
５２                自由端部
５３                突部
５４                係止部
６０                保持爪部
６１                保持基部
６２                保持自由端部
６３                保持先端部
７０                開口部
７１                係止縁
【図１】
2013228006.tif 000003
【図２】
2013228006.tif 000004
【図３】
2013228006.tif 000005
【図４】
2013228006.tif 000006
【図５】
2013228006.tif 000007
【図６】
2013228006.tif 000008
【図７】
2013228006.tif 000009
【図８】
2013228006.tif 000010